(57)【要約】【課題】  ダイアフラムの弁箱の開口縁部と接する部分が劣化した場合であっても、流路を流通する流体が外部に漏れることがなく、同時にダイアフラムの締め付け度合いを目視で容易且つ確実に確認することを可能とする流体制御器を提供すること。【解決手段】  入口流路と出口流路を有する弁箱と、弁本体と、この弁箱と弁本体の間隙に挟持部材を介して挟着状態に固定されたダイアフラムと、このダイアフラムを伸縮させる操作機構とからなり、弁箱には前記挟持部材の周側面に当接して入口流路、出口流路内を封止する無端状の封止突部が形成され、封止突部により囲まれた凹部に挟持部材が入り込み、挟持部材の下面は封止突部の上面に当接せずにダイアフラムの上面に当接し、挟持部材の周側面の上端部は封止突部の上端面より上方に位置し、挟持部材の周側面には周側面が凹部に入り込んだ深さの程度を目視確認できるインジケーターが設けられている。【選択図】  図３
2005147202.tif 000002
【特許請求の範囲】
【請求項１】
入口流路と出口流路を有してなる弁箱と、弁本体と、この弁箱と弁本体の間隙に挟持部材を介して挟着状態に固定されてなるダイアフラムと、このダイアフラムを伸縮させる操作機構とからなる流体制御器であって、前記弁箱には前記挟持部材の周側面に当接して前記入口流路、出口流路内を封止する無端状の封止突部が形成され、該封止突部により囲まれた凹部に前記挟持部材が入り込んでなるとともに、該挟持部材の下面は封止突部の上面に当接することなくダイアフラムの上面に当接し、前記挟持部材の周側面の上端部は前記封止突部の上端面より上方に位置しており、前記挟持部材の周側面には該周側面が前記凹部に入り込んだ深さの程度を目視確認できるインジケーターが設けられてなることを特徴とする流体制御器。
【請求項２】
前記インジケーターが目盛り線からなることを特徴とする請求項１記載の流体制御器。
【請求項３】
前記インジケーターが複数の異なる色の層からなることを特徴とする請求項１記載の流体制御器。
【発明の詳細な説明】
【技術分野】
【０００１】
この発明は流体制御器に係り、その目的はダイアフラムの弁箱の開口縁部と接する部分が裂化した場合であっても流路を流通する流体が外部に漏れることがないとともに、ダイアフラムの締め付け度合いを目視で容易且つ確実に確認することが可能な流体制御器の提供にある。
【背景技術】
【０００２】
従来の一般的な流体制御器の一例を図４に基づいて説明する。
この制御器（Ａ）は入口流路（Ｃ）及び出口流路（Ｄ）を有する弁箱（Ｅ）と、弁本体（Ｊ）と、ダイアフラム（Ｆ）と、このダイアフラム（Ｆ）を伸縮させる操作機構（Ｇ）とからなり、前記ダイアフラム（Ｆ）は弁箱（Ｅ）の所要位置に形成された開口部（Ｈ）上に配設されるとともに前記弁本体（Ｊ）の下部に設けられた挟持部材（Ｂ）と弁箱（Ｅ）とで挟着状態に固定されてなるものであった。
【０００３】
しかしながら、上記従来の構造の流体制御器（Ａ）では以下に述べる課題があった。
第一に、入口流路（Ｃ）と出口流路（Ｄ）とをダイアフラム（Ｆ）を介して開閉すると、このダイアフラム（Ｆ）の前記弁箱（Ｅ）に形成された開口部（Ｈ）の開口縁部（Ｉ）と接する部分に圧力がかかり、そのためにこれら入口流路（Ｃ）と出口流路（Ｄ）とをダイアフラム（Ｆ）を介して反復継続して開閉しているうちに、ダイアフラム（Ｆ）の前記弁箱（Ｅ）に形成された開口部（Ｈ）の開口縁部（Ｉ）と接する部分が裂化し、これによって、入口流路（Ｃ）と出口流路（Ｄ）とを流通する流体が裂化した部分から外部に漏れてしまう可能性があった。
【０００４】
第二に、このような流体制御器では、ダイアフラムの締め付けはトルクレンチを使用して行われるのが一般的であるが、ダイアフラムは素材がゴム等の弾性体であるために測定トルクが安定せず、適度な圧力で均一にダイアフラムを締め付けることが難しかった。
また、トルクレンチを使用した締め付けでは、流体制御器の組み立ての際に、ダイアフラムを入れ忘れたり、寸法や種類が違ったダイアフラムや他の部品を使用したり、ダイアフラムの取り付け部分に異物が噛み込んだりした場合でも、測定されたトルク値が適正な値であれば適正な締め付けが得られていると判断されることから、実際には適正な製品が得られていなくてもこれを把握することができないという問題があった。
【０００５】
上記したような従来の流体制御器の問題点に鑑みて、ダイアフラムの弁箱の開口縁部と接する部分が裂化した場合であっても入口流路及び出口流路を流通する流体が外部に漏れることのないようにした流体制御器が提案されている（特許文献１参照）。
【０００６】
【特許文献１】特開平６−２７２７７１号公報
【発明の開示】
【発明が解決しようとする課題】
【０００７】
しかしながら、上記特許文献１記載の発明は、上述した従来の流体制御器がもつ問題点のうち、単に前者の問題点を解決することを可能にしたに過ぎず、後者の問題点については何ら具体的な解決手段を開示若しくは示唆するものではなかった。
【０００８】
本発明はかかる実情に鑑みてなされたものであって、ダイアフラムの弁箱の開口縁部と接する部分が裂化した場合であっても流路を流通する流体が外部に漏れることがなく、同時にダイアフラムの締め付け度合いを目視で容易且つ確実に確認することを可能とする流体制御器を提供せんとするものである。
【課題を解決するための手段】
【０００９】
請求項１に係る発明は、入口流路と出口流路を有してなる弁箱と、弁本体と、この弁箱と弁本体の間隙に挟持部材を介して挟着状態に固定されてなるダイアフラムと、このダイアフラムを伸縮させる操作機構とからなる流体制御器であって、前記弁箱には前記挟持部材の周側面に当接して前記入口流路、出口流路内を封止する無端状の封止突部が形成され、該封止突部により囲まれた凹部に前記挟持部材が入り込んでなるとともに、該挟持部材の下面は封止突部の上面に当接することなくダイアフラムの上面に当接し、前記挟持部材の周側面の上端部は前記封止突部の上端面より上方に位置しており、前記挟持部材の周側面には該周側面が前記凹部に入り込んだ深さの程度を目視確認できるインジケーターが設けられてなることを特徴とする流体制御器に関する。
請求項２に係る発明は、前記インジケーターが目盛り線からなることを特徴とする請求項１記載の流体制御器に関する。
請求項３に係る発明は、前記インジケーターが複数の異なる色の層からなることを特徴とする請求項１記載の流体制御器に関する。
【発明の効果】
【００１０】
以上詳述した如く、本発明に係る流体制御器によれば、ダイアフラムの弁箱の開口縁部と接する部分が裂化した場合であっても流路を流通する流体が外部に漏れることがないとともに、ダイアフラムの締め付け度合いを目視で容易且つ正確に確認することができるため、常にダイアフラムの締め付け圧を適正範囲に調整維持することが可能となる。
【発明を実施するための最良の形態】
【００１１】
以下、本発明に係る流体制御器の好適な実施形態について、図面を参照しつつ説明する。
図１はこの発明に係る流体制御器の一実施例を示す断面説明図、図２は図１示の流体制御器におけるダイアフラムの挟着部分を示す断面説明図、図３は図１示の流体制御器におけるインジケーター部分を拡大抽出して示す図である。
【００１２】
（１）は流体制御器であって、この流体制御器（１）は弁箱（１９）と、弁本体（２）と、ダイアフラム（６）と、挟持部材（７）と、コンプレッサー（１２）と、ステム（１３）と、アクチュエーターキャップ（８）と、スプリング（９）とからなる。
【００１３】
弁箱（１９）には入口流路（３）及び出口流路（４）と、これら入口流路（３）及び出口流路（４）の中間に位置するシール座（１３）が設けられており、この弁箱（１９）の所要位置には開口部（５）が形成されている。また、弁箱（１９）には図２に示すように、前記挟持部材（７）の周側面（１０）と当接する無端状の封止突部（１１）が形成されている。
【００１４】
弁箱（１９）の所要位置に形成された開口部（５）の上方に位置して方形シート状のダイアフラム（６）が配設される。
この発明において、ダイアフラム（６）としては特に限定されず、耐熱、耐寒性や屈曲性、腐食性などに優れた従来より公知の天然ゴム、ニトリルゴム、スチレンゴム、ブタジエン・イソブチレン合成ゴム、ポリクロロプレンゴム、ブチルゴム、フッ素ゴム、シリコンゴム、ポリウレタンゴムなどのゴム製又はポリ四弗化エチレン（ＰＴＦＥ）等の合成樹脂製のものが好適に使用される。
【００１５】
コンプレッサー（１２）は軸方向に連結ボルト（１８）と連結されており、この連結ボルト（１８）の先端部はダイアフラム（６）中央の埋設部（１５）内に埋設されている。
【００１６】
弁箱（１９）と弁本体（２）との間隙には、挟持部材（７）を介してダイアフラム（６）が挟着状態に固定される。この際に、弁箱（１９）に形成された封止突部（１１）が前記挟持部材（７）の周側面（１０）に当接される。
尚、弁箱（１９）に形成された封止突部（１１）は、挟持部材（７）の周側面（１０）の全体には当接せず、周側面（１０）の少なくとも上端部分は封止突部（１１）から露出するように構成される。
【００１７】
すなわち、本発明に係る流体制御器（１）では、封止突部（１１）により囲まれた弁箱（１９）の凹部（２０）に挟持部材（７）が入り込んでいるとともに、該挟持部材（７）の下面は封止突部（１１）の上面に当接することなくダイアフラム（６）の上面に当接し、挟持部材（７）の周側面の上端部は封止突部（１１）の上端面より上方に位置している。
【００１８】
そして、挟持部材（７）の周側面（１０）には、該周側面が前記凹部（２０）に入り込んだ深さの程度を目視確認できるインジケーター（２１）が全周に亘って設けられている。
【００１９】
インジケーター（２１）の形態は、特に限定されるものではないが、例えば図３に示した形態を例示することができる。
図３（ａ）（ｂ）は、インジケーター（２１）を互いに平行な複数本の水平方向の目盛り線とした構成を示しており、（ａ）は２本の目盛り線を設けた場合、（ｂ）は３本の目盛り線を設けた場合をそれぞれ示している。尚、目盛り線の数は特に限定されず、１本或いは４本以上としてもよい。
（ａ）の場合、ダイアフラムの締め付け圧が適切な範囲にある場合に、上方の目盛り線（２１ａ）と下方の目盛り線（２１ｂ）の間に封止突部（１１）の上面が位置するように設定しておくことで、目視により一目で締め付け圧が適切な範囲にあるか否かを判断することが可能となる。
（ｂ）の場合、（ａ）の目盛り線に加えて、最適な締め付け圧を表す中間目盛り線（２１ｃ）を上方の目盛り線（２１ａ）と下方の目盛り線（２１ｂ）の間に示すことにより、より適切な締め付け圧でダイアフラムを締め付けることが可能となる。
【００２０】
図３（ｃ）は、インジケーター（２１）を互いに平行に水平方向に配された複数の異なる色の層から形成した構成を示しており、図示例は色層を３層とした場合を示している。尚、色層の数は特に限定されず、２層或いは４層以上としてもよい。
この場合、封止突部（１１）の上面の位置が、ダイアフラムの締め付け圧が過大となる場合に上方層（２１ｄ）、締め付け圧が適切な範囲にある場合に中間層（２１ｅ）、締め付け圧が不足する場合に下方層（２１ｆ）に位置するように設定しておくことで、目視により一目で締め付け圧が適切な範囲にあるか否かを判断することが可能となる。
【００２１】
このように構成されてなる流体制御器（１）の使用状態を説明する。
入口流路（３）と出口流路（４）とを閉鎖する場合は、スプリング（９）によってステム（１４）の下に固定されているコンプレッサー（１２）を下降させるとダイアフラム（６）は周縁部を挟持部材（７）の先端部により締め付け挟持され、弁箱（１９）のシール座（１３）へ圧接されて入口流路（３）と出口流路（４）とが閉鎖される。
また、インレットポート（１６）よりエアー通路（１７）を介してエアーを導入すると、ステム（１４）の下に固定されているコンプレッサー（１２）が上昇され、ダイアフラム（６）がシール座（１３）より離間されて入口流路（３）と出口流路（４）とが開放される。
図示例では流体制御器（１）により入口流路（３）と出口流路（４）とが閉鎖された状態を示している。
【００２２】
尚、本発明においては、入口流路（３）と出口流路（４）との開閉を手動操作で行うような構成としてもよい。
尚、本実施例ではダイアフラム（６）を伸縮させる操作機構を上述したように構成しているが、本発明はこの操作機構に限られるものではなく、他の操作機構であっても良い。
【００２３】
このように、弁箱（１９）と弁本体（２）の間隙に挟持部材（７）を介してダイアフラム（６）を挟着状態に固定するとともに、弁箱（１９）に形成された無端状の封止突部（１１）を挟持部材（７）の周側面（１０）に当接するようにしたので、入口流路（３）と出口流路（４）とをダイアフラム（６）を介して反復継続して開閉しているうちに、ダイアフラム（６）の弁箱（１９）に形成された開口部（５）の開口縁部（１９）と接する部分が裂化した場合であっても、封止突部（１１）によって入口流路（３）、出口流路（４）内を封止することができ、入口流路（３）及び出口流路（４）とを流通する流体が外部に漏れることがない。
【００２４】
また、封止突部（１１）により囲まれた凹部に挟持部材（７）が入り込んでいるとともに、該挟持部材（７）の下面は封止突部（１１）の上面に当接することなくダイアフラム（６）の上面に当接しているので、弁本体（２）の弁箱（１９）に対する位置決めを容易に且つ精度良く行うことが可能となる。また、ダイアフラム（６）に対する締め付け調整（増し締め）を行うことも可能となる。
【００２５】
さらに、挟持部材（７）の周側面（１０）の上端部が封止突部（１１）の上端面より上方に位置しているとともに、挟持部材（７）の周側面には該周側面が凹部（２０）に入り込んだ深さの程度を目視確認できるインジケーター（２１）が全周に亘って設けられているため、ダイアフラム（６）の締め付け度合いや片締めになっていないかを上方から目視で容易且つ正確に確認することができる。
【図面の簡単な説明】
【００２６】
【図１】本発明に係る流体制御器の一実施例を示す断面説明図である。
【図２】図１示のダイアフラムの挟着部分を示す断面説明図である。
【図３】図１示の流体制御器におけるインジケーター部分を拡大抽出して示す図である。
【図４】従来の流体制御器を示す断面説明図である。
【符号の説明】
【００２７】
１      流体制御器
２      弁本体
３      入口流路
４      出口流路
６      ダイアフラム
７      挟持部材
１０    周側面
１１    封止突部
１９    弁箱
２０    凹部
２１    インジケーター
【図１】
2005147202.tif 000003
【図２】
2005147202.tif 000004
【図３】
2005147202.tif 000005
【図４】
2005147202.tif 000006